(57)【要約】【課題】従来の空気清浄装置では、清浄化空気は吹き出し部に内蔵されているファンの風量に頼った吹き出しのため、大型のファンを内蔵する必要があり、空気清浄装置が大型化したり、電力のロスが生じたり、ファン騒音が大きくなるという課題を有していた。【解決手段】就寝者１１の頭部付近に設置され清浄化空気７を供給する送風装置９において、送風装置９は、前面に設けられた開口部２６と、開口部２６の周囲に設けられ就寝者１１の頭部付近に向け送風する吹き出し部１６とで構成されることにより、開口部２６を通過する気流の誘引効果を利用するため、低風量でも頭部付近に清浄化空気７を送風することが可能になり、小型化、軽量化が可能となり、省エネルギー化、低騒音化も可能となる。【選択図】図１
2011247480.tif 000002
【特許請求の範囲】
【請求項１】
前面に設けられた開口部と、前記開口部の下方に設けられた吸い込み部と、前記開口部の周囲に設けられた吹き出し部とを備えた空気清浄装置。
【請求項２】
前記吹き出し部は、複数の吹き出し口からなる請求項１に記載の空気清浄装置。
【請求項３】
前記開口部の内面に内側吹き出し口を設けた請求項１または２に記載の空気清浄装置。
【請求項４】
前記吹き出し部は、逆Ｕ字型に配置された吹き出し口からなる請求項１〜３のいずれか１項に記載の空気清浄装置。
【請求項５】
前記吹き出し部は、風量風向変更手段を有した請求項１〜４のいずれか１項に記載の空気清浄装置。
【請求項６】
前記複数の吹き出し口のうち、一部の吹き出し口のみから送風する運転モードを有する請求項２に記載の空気清浄装置。
【請求項７】
前記複数の吹き出し口は、それぞれに風量風向変更手段を有した請求項２または６に記載の空気清浄装置。
【請求項８】
前記吹き出し部は、イオン発生機能、加湿機能のうち少なくとも１つの機能を発生させることを特徴とする請求項１〜７のいずれか１項に記載の空気清浄装置。
【発明の詳細な説明】
【技術分野】
【０００１】
本発明は、気流を発生させ室内の局所的な空間を清浄化する空気清浄装置に関するものである。
【背景技術】
【０００２】
従来、この種の空気清浄装置として、就寝者が快適に就寝できるように、就寝者の頭側の清浄化空気調和を行う頭側空調手段と就寝者の脚側の清浄化空気調和を行う脚側空調手段とを備え、就寝空間を清浄化空気調和するようにした空調装置付ベッド部が知られている（例えば、特許文献１参照）。
【０００３】
この空気清浄装置はベッド部と一体に設けられ、ベッド部の下方には送風ファンとフィルタ部が配置されている。ベッド部の頭側にはベッド部の足側に向けて清浄化気流を発生させる吹き出し部が設けられている。また、フィルタ部と送風ファンと吹き出し部とはダクト部で連結されている。吹き出し部から吹き出された清浄化気流がベッド部の下方に送風され、ベッド部上の塵埃を含む塵埃を含有する空気を、フィルタ部により回収する。
【先行技術文献】
【特許文献】
【０００４】
【特許文献１】特開２０００−１７１０６７号公報
【発明の概要】
【発明が解決しようとする課題】
【０００５】
しかしながら、従来の空気清浄装置では、清浄化気流を発生させる吹き出し部からの清浄化空気は、吹き出し部に内蔵されているファンの風量に頼った吹き出しのため、大型のファンを内蔵する必要がある。そのため、設備は必然的に大型化する、あるいは、電力のロス、大型ファンによるファン騒音が大きくなるという課題を有している。結果、従来の空気清浄装置では、ベッドへの設置が困難になり設置性がよろしくない。また、大型化による材料費がアップするため、部品コストが高くなるという課題を有していた。
【０００６】
本発明は、前記従来の課題を解決するもので、容易に設置が可能で、部品も軽量化できるため、移動性も向上する空気清浄装置を提供することを目的とする。
【課題を解決するための手段】
【０００７】
前記従来の課題を解決するために、本発明の空気清浄装置は、前面に設けられた開口部と、開口部の下方に設けられた吸い込み部と、開口部の周囲に設けられた吹き出し部とを備えたものである。
【０００８】
これによって、開口部の周辺に配置した吹き出し部は、気流の誘引効果を利用するため、少ない風量で効率よく清浄空気を送風することが可能になり、小型ファンの使用が可能になることによる省電力化、小型設備化、軽量化ができる。さらに、ベッドの後付設置性や設備の移動性が向上し、小型・軽量による低コスト化も可能となる。
【発明の効果】
【０００９】
本発明の空気清浄装置は、大型のファンを内蔵する必要がなく、小型、軽量、低コストであり、設置性や移動性も向上する。
【図面の簡単な説明】
【００１０】
【図１】本発明の第１の実施形態における連携して動作する構成とした空気清浄装置の外観構成を模式的に示す斜視図
【図２】図１に示した空気清浄装置の送風装置側面図
【図３】図１に示した空気清浄装置の送風装置吹き出し部正面図
【図４】送風装置側の吹き出し部開口部の内側に内側吹き出し口を設けた正面図
【図５】本発明の第２の実施形態における空気清浄装置の外観構成を模式的に示す斜視図
【発明を実施するための形態】
【００１１】
第１の発明は、前面に設けられた開口部と、開口部の下方に設けられた吸い込み部と、開口部の周囲に設けられた吹き出し部とを備えたことにより、吹き出し部から送風される清浄化空気は、開口部周辺の気流を巻き込み送風する気流の誘引効果を利用するため、少ない風量で効率よく頭部付近に清浄空気を送風することが可能になる。このため、大型のファンを内蔵する必要がなく、小型、軽量、低コストであり、設置性や移動性も向上する。
【００１２】
第２の発明は、特に、第１の発明の吹き出し部は、複数の吹き出し口からなることにより、就寝者への清浄化空気をより確実に送風することができる。
【００１３】
第３の発明は、特に、第１または第２の発明の空気清浄装置の開口部の内面に内側吹き出し口を設けたことにより、吹き出し口からの吹き出した気流に、内側吹き出し口から吹き出された清浄化気流も巻き込ませ、就寝者へ送風することができる。いわゆる周囲の空気を利用する誘引効果を利用し、就寝者への清浄化空気を送風するため、内側吹き出し口から吹き出される清浄化空気を比較的低風量のファンでも送風することが可能である。これにより、ベッド上の吹き出し部以外の箇所にも広範囲にわたって清浄空気を送風することができる。これにより就寝者へ清浄化気流を的確に送風することができる。
【００１４】
第４の発明は、特に、第１〜３のいずれか１つの発明の吹き出し部は、逆Ｕ字型に配置された吹き出し口からなることにより、ベッドに横臥状態の就寝者に向け清浄化気流を逆Ｕ字型で送風させることで、清浄化空気は就寝者をベッドの上側だけでなく左右いわゆる側面部も清浄化空気がながれる。いわゆるエアカーテン状態を形成し、ベッド上の就寝者を清浄化空気で囲むことが出来る。よって就寝者の快適性を向上することができる。
【００１５】
第５の発明は、特に、第１〜４のいずれか１つの発明の吹き出し部は、風量風向変更手段を有したことにより、吹き出し口より送風される風量を調整することにより、誘引効果により誘引される風量も調整することとなり、就寝者への清浄化気流の風量を調整することができる。さらに、風向を調整することにより、就寝者の位置が変動したとしても清浄化気流の風向を変更することができ、就寝者へ的確に送風することができる。これにより、快適性の向上や、省エネルギー化の向上もできる。
【００１６】
第６の発明は、特に、第２の発明の複数の吹き出し口のうち、一部の吹き出し口のみから送風する運転モードを有することにより、就寝者に向け送風する清浄化空気を風量調節ではなく、送風ＯＮ・送風ＯＦＦ部分の吹き出し口の切り替えにより調節でき、省エネルギーな効率が良い運転が可能になる。
【００１７】
第７の発明は、特に、第２または６の発明の複数の吹き出し口は、それぞれに風量風向変更手段を有することにより、複数の吹き出し口の、風量風向変更手段をそれぞれで運転可能、制御可能とすることにより、複数の吹き出し口からの風量風向を変更し清浄化空気を衝突させ、開口部からの誘引効果も利用することにより、就寝者の頭部付近を低風量でも陽圧化した局所的な空間を形成することができ、ベッド上の就寝者に清浄化空気を届け
ることが可能となる。
【００１８】
第８の発明は、特に、第１〜７のいずれか１つの発明の吹き出し部は、イオン発生機能、加湿機能のうち少なくとも１つの機能を発生させることにより、就寝者に送風する清浄化空気はフィルタ部により清浄化された気流に、加湿機能やイオン発生機能を付加機能として追加することにより、就寝者へより清浄化した空気を送風することが出来、就寝者の快適性をさらに向上させることが可能となり、就寝者の周囲の空間を清浄に保つことが出来る。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における連携して動作する構成とした空気清浄装置の外観構成を模式的に示す斜視図を示すものである。
【００２１】
図１において、本実施の形態の空気清浄装置は、送風装置９と足側送風装置１０からなり、ベッド８に取り付けられている。ベッド８に就寝者１１が横臥状態で就寝している状況である。就寝者１１の頭部付近には送風装置９が配置され、ベッド８の足側に足側送風装置１０が配置されている。ベッド８上には塵埃や菌、アレルゲン、ウイルス等の汚染物質１２が存在している。図１は、この空気清浄装置の模式的に使用されている様子を表している。
【００２２】
送風装置９には、前面から背面へと貫通した開口部２６が設けられており、開口部２６の周囲には、吹き出し部１６が設けられている。
【００２３】
ベッド８本来の目的は、就寝者１１が横臥して使用することが大半であるため、図１に示すとおりの送風装置９の吹き出し部１６から送風された清浄化空気７が横臥状態の就寝者１１頭部付近から足側送風装置１０へ回収される。例えば病院などの病室においては、就寝者１１が一日の大半をベッド８で過ごすことになる。ベッド８上で就寝者１１が横臥状態や座位状態へと様々な動きにより変動しながら、食事やテレビ鑑賞、読者や医療従事者により治療行為等の様々な行為もベッド上ですることになる。その際に就寝者に快適に生活を送ってもらうためにも、送風装置９から吹きだす清浄化気流は、送風装置９前面に設けた開口部２６を通過する気流を誘引し、吹き出し風量よりもおおきな風量となる。そのため、送風装置９のファン風量は、開口部２６を設けていないときと比較して、ファン風量を低風量化しても、就寝者１１の頭部付近に清浄化気流を送風することが可能となる。よって、送風装置９を低風量化することが可能となり、ファンの低騒音化に貢献できる。就寝者１１がベッド８上で快適な生活が可能となる。
【００２４】
図２は、図１に示した空気清浄装置の就寝者横臥時における側面図を示すものである。また、図３は、図１に示した空気清浄装置の就寝者横臥時における送風装置の吹き出し部正面図である。
【００２５】
図２において、ベッド８には空気清浄装置が取り付けられており、就寝者１１が横臥状態での利用をしている。ベッド８の頭側に送風装置９が配置され、ベッド８の足側に足側送風装置１０が配置されている。ベッド８の上には就寝者１１が横臥状態でおり、ベッド８上には塵埃や菌、アレルゲン、ウイルス等の汚染物質１２が存在している。
【００２６】
送風装置９の内部には頭側送風ファン１３Ａと頭側フィルタ部１４Ａが内蔵されており、頭側無線連携部１５Ａを有している。頭側送風ファン１３Ａはモータ（図示せず）など
により回転され、これにより頭側吸い込み部１７から吸い込まれた空気は、頭側フィルタ部１４Ａを介して、吹き出し部１６より吹き出される。頭側無線連携部１５Ａは、後述する足側無線連携部１５Ｂとの間で、赤外線などにより信号の伝達を行う通信制御手段である。
【００２７】
また、送風装置９の正面には、吹き出し部１６と頭側吸い込み部１７（本発明の吸い込み部）が設けられている。図３に示すように、吹き出し部１６は、開口部２６の上部に設けられた上吹き出し口１６Ａ、開口部２６の左右に設けられた左吹き出し口１６Ｂ、右吹き出し口１６Ｃから構成されている。吹き出し部１６は頭側風向変更部１８Ａを有している。頭側風向変更部１８Ａは、吹き出し部１６から吹き出す空気を上下方向、または、左右方向に変更するための例えばルーバーのような風向変更手段である。
【００２８】
頭側吸い込み部１７はベッド８の下方に構成されており、吹き出し部１６はベッド８の上方に配置されている。内蔵されている頭側フィルタ部１４Ａの吸い込み側には、頭側風路切り替え弁２２Ａが設置されている。頭側風路切り替え弁２２Ａは、吹き出し口１６Ａ〜１６Ｃのいずれかの吹き出し口から清浄化空気７を吹き出し、それ以外の吹き出し口からは清浄化空気７を吹き出さないかを切り替える弁である。頭側風向変更部１８Ａと頭側風路切り替え弁２２Ａにより頭側の風向風量変更手段を構成し、これらの機能により、吹き出し口１６Ａ〜１６Ｃのいずれの吹き出し口から送風するか、さらに、その吹き出し方向を変更することができる。なお、頭側風向変更部１８Ａに、吹き出す空気を通過させない機能を持たせ、頭側風向変更部１８Ａのみで風向風量変更手段を構成するものとしてもよい。
【００２９】
また送風装置９には操作部１９が設けられている。送風装置９内部には、電圧付加によるイオンを発生させるいわゆるイオン発生機である頭側イオン発生機２５Ａを内蔵している。この頭側イオン発生機２５Ａには、イオン発生または空気の湿度を向上させる加湿機能を搭載している。空気の加湿方法には、例えばペルチェ素子による加湿方法を利用し、水供給の手間を省いている構成となっている。
【００３０】
足側送風装置１０の内部には足側送風ファン１３Ｂと足側フィルタ部１４Ｂが内蔵されており、足側無線連携部１５Ｂを有している。足側送風ファン１３Ｂはモータ（図示せず）などにより回転され、これにより足側吸い込み部２１から吸い込まれた空気は、足側フィルタ部１４Ｂを介して、足側吹き出し部２０より吹き出される。足側無線連携部１５Ｂは、頭側無線連携部１５Ａとの間で、赤外線などにより信号の伝達を行う通信制御手段である。
【００３１】
また足側送風装置１０には足側吹き出し部２０と足側吸い込み部２１が設けられており、足側吸い込み部２１は足側風向変更部１８Ｂを有している。足側風向変更部１８Ｂは、足側吸い込み部２１から吸い込む空気を上下方向、または、左右方向から吸い込むように変更するための例えばルーバーのような風向変更手段である。
【００３２】
足側吸い込み部２１はベッド８の上方に構成されており、足側吹き出し部２０はベッド８の下方に配置されている。内蔵されている足側フィルタ部１４Ｂの吸い込み側には、足側風路切り替え弁２２Ｂが設置されている。足側風路切り替え弁２２Ｂは、足側吸い込み部２１に設けられた複数の足側吸い込み口のいずれの吸い込み口から空気を吸い込むかを切り替える弁である。足側風向変更部１８Ｂと足側風路切り替え弁２２Ｂにより足側の風向風量変更手段を構成し、これらの機能により、足側吸い込み部２１に設けられた複数の足側吸い込み口のいずれの吸い込み口から空気を吸い込むか、さらに、その吸い込み方向を変更することができる。なお、足側風向変更部１８Ｂに、吸い込む空気を通過させない機能を持たせ、足側風向変更部１８Ｂのみで風向風量変更手段を構成するものとしてもよ
い。
【００３３】
また、足側送風装置１０内部には、電圧付加によるイオンを発生させるいわゆくイオン発生機である足側イオン発生機２５Ｂを内蔵している。この足側イオン発生機２５Ｂには、イオン発生または空気の湿度を向上させる加湿機能を搭載している。空気の加湿方法には、例えばペルチェ素子による加湿方法を利用し、水供給の手間を省いている構成となっている。
【００３４】
吹き出し部１６と足側吸い込み部２１はベッド８の上で向き合っており、頭側吸い込み部１７と足側吹き出し部２０はベッド８の下で向き合っている。また吹き出し部１６に設置された頭側風向変更部１８Ａはベッド８の上面に気流を吹き付けるよう下向きになっており、足側吸い込み部２１に設置された足側風向変更部１８Ｂはベッド８の上面に近い空間から気流を吸引するよう下向きになっている。
【００３５】
以上のように構成された空気清浄装置について、以下その動作、作用を説明する。
【００３６】
まず、吹き出し部１６を構成する吹き出し口１６Ａ〜１６Ｃからは清浄化空気７が吹き出される。清浄化空気７はベッド８の頭側から足側に向けてベッド８の上面及び就寝者１１の上を沿って流れる。清浄化空気７の気流が壁面や障害物側面に沿って流れるコアンダ効果を利用できるため頭側送風ファン１３Ａと足側送風ファン１３Ｂは少ない風量で清浄化空気７を流すよう回転数および風量動作が設定されている。清浄化空気７はベッド８の上面にぶつかってからベッド８の上面に沿って流れた後、自然とベッド８の上面の足側に近い空間へと流れる。足側吸い込み部２１の足側風向変更部１８Ｂはこのベッド上面をコアンダ効果で足側へ流れてきた清浄化空気７に向いており、つまり下側方向に向いており、清浄化空気７は足側吸い込み部２１へと吸引される。また足側吹き出し部２０から排気風２４が吹き出されている。排気風２４はベッド８の下を足側送風装置１０側から送風装置９側に向かって流れ、ベッド８下の頭側の空間が排気風２４の下流域となる。この下流域の位置に頭側吸い込み部１７が設けられているため排気風２４は頭側吸い込み部１７へと吸引される。
【００３７】
また操作部１９によって送風装置９の頭側送風ファン１３Ａの動作状態や頭側風向変更部１８Ａの動作を変更できる構成となっている。同時に送風装置９の頭側無線連携部１５Ａと足側送風装置１０の足側無線連携部１５Ｂは通信しており、送風装置９の頭側送風ファン１３Ａの動作状態や頭側風向変更部１８Ａの動作状態が足側送風装置１０の足側無線連携部１５Ｂへと伝えられている。足側無線連携部１５Ｂは取得した情報を元に足側送風ファン１３Ｂや足側風向変更部１８Ｂの動作を変化させる構成となっており、結果として操作部１９の操作で送風装置９と足側送風装置１０の両方が操作されることとなる。
【００３８】
また、図３においては、空気清浄装置の正面図を表している。就寝者１１頭部付近に設置された吹き出し口１６Ａ〜１６Ｃから清浄化空気７が送風されると同時に開口部２６からの周囲の空気を巻き込み多量の空気が送風される。いわゆる誘引効果により就寝者１１の頭部付近に清浄化空気７が送風される。
【００３９】
以上のように、本実施の形態１においては就寝者１１がベッド８上で横臥状態の際には操作部１９の操作により、頭側送風ファン１３Ａが起動回転を行い、頭側風路切り替え弁２２Ａ、頭側フィルタ部１４Ａを通過した空気が、送風装置９の頭側イオン発生機２５Ａにより発生したイオンまたは加湿された空気を含み清浄化空気７となる。清浄化空気７は、頭側風向変更部１８Ａより、就寝者１１の頭部付近へ風向を設定され送風される。
【００４０】
ベッド８頭側に設置された送風装置９と、ベッド８脚側に設置された足側送風装置１０
と、送風装置９には吹き出し部１６を備え、足側送風装置１０には、頭側吸い込み部１７を備え、送風装置９の吹き出し部１６の内側には開口部２６を設け、送風装置９と足側送風装置１０と連携して動作する構成とし、開口部２６を設けることにより、気流の誘引効果を利用するため、少ない風量で効率よく頭部付近に清浄化空気７を送風することが可能になる。
【００４１】
また低風量のため、送風装置９に内蔵設置されている頭側送風ファン１３Ａは小型化したファンの使用が可能になり、小型ファンによる省電力化が可能となり、送風装置９自体の小型設備化、軽量化が可能となり、省エネルギー性を向上し、材料比を削減した低コスト化も可能となる。就寝者１１には低風量でも送風装置９の吹き出し部１６の内側に開口した開口部２６が周囲の空気を誘引して送風するいわゆる誘引効果により、低風量でも確実に就寝者１１へ確実に清浄化空気７を送風することができ、頭側の吹き出し部１６に開口部２６を設けることにより、周囲空気の気流の誘引効果を利用することにより、少ない風量で効率よく清浄化空気７を送風することが可能である。
【００４２】
送風装置９に内蔵設置されている頭側送風ファン１３Ａのファン風量が低風量で必要風量を確保できるため、ファンの小型化が可能。設備自体も小型化できるため、ベッドの後付設置性が向上する。また、小型・軽量による低コスト化も可能となる。例えば、病院などで入院患者を収容している病室においては、ベッド８の就寝者１１である患者は、ベッド部上で就寝や食事、治療等の行為を行い、一日の大半をベッド８上で過ごすことになる。ベッド８上に清浄化空気７を送風し、患者の快適性を向上する必要がある。常時、清浄化空気７を送風するため、送風装置９に内蔵設置されている頭側送風ファン１３Ａが大風量による大電力化や設備の大型化、大騒音化、大コスト化が懸念され、就寝者１１の快適性をそこなう恐れも考えられる。しかし、本実施の形態では、送風装置９に吹き出し部１６の内側に開口部２６を設けることにより、吹き出し部１６から吹き出す清浄化空気７は周囲にある気流も巻き込み送風する誘引効果を利用することができ、少ない風量で効率よく清浄化空気７を送風することが可能となる。
【００４３】
送風装置９に内蔵設置されている頭側送風ファン１３Ａのファン風量が低風量でも就寝者１１に清浄化空気７を送風する必要風量を確保できるため、送風装置９に内蔵設置されている頭側送風ファン１３Ａはファンの小型化が可能となり、それにより送風装置９自体も小型化できるため、ベッド８への後付の設置性や設備の移動性も向上する。また、送風装置９の小型化・軽量化を行うことにより低コスト化が可能とすることができる。このため、例えば、病院等で使用される場合でも、医療従事者の医療行為に邪魔することも少なくなる。病院内でも移動性が向上することから、他の病室への移動設置もたやすくなる。また、小型化・軽量化を行うことにより低コスト化が可能とすることができることから、病院のような多数の病床にも導入性が向上できる。
【００４４】
更に頭側無線連携部１５Ａを用いて連携動作が行われ送風装置９と足側送風装置１０の各々装置に取り付けられている頭側風向変更部１８Ａ、足側風向変更部１８Ｂにより、清浄化空気７の気流風向を変更することが可能となる。この機能により、ベッド８上にいる就寝者１１には、横臥状態や、座位状態と体位や位置、姿勢と変動させても狙うポイントや箇所、例えば頭部付近への清浄化空気７を送風することが可能となる。頭部付近や顔表面であっても的確に清浄化空気７の送風方向を変更することが出来る。これにより、清浄化空気は就寝者１１の頭部より脚側まで流れる方向の気流を確実に形成することができ、就寝者１１頭部付近の主に顔表面である鼻、口部を目指した清浄化空気７を送風することが可能となる。
【００４５】
清浄化空気７をベッド８上に流すことにより、ベッド８上を清浄化でき、ベッド８上から発生した塵埃や菌、アレルゲン、ウイルス等の汚染物質１２をベッド８上から減少させ
、ベッド８上の清浄化を上げることができ、就寝者１１の居住環境を良くすることができる。就寝者１１の頭部付近に送風された清浄化空気７は、前述したコアンダ効果により、就寝者１１の体表面または、ベッド８の上面に沿って足側送風装置１０方向へ送風される。足側送風装置１０付近へ送風される際にベッド８上、または就寝者１１の付近に漂うウイルス、アレルゲンなどを清浄化し、塵埃等を足側送風装置１０方向へ送り出す。足側送風装置１０付近まできた清浄化空気７は、足側送風装置１０に内蔵されている足側送風ファン１３Ｂにより送風される。この場合は、ベッド８上の清浄化空気７を足側風向変更部１８Ｂより回収する方向に向ける。足側風向変更部１８Ｂは下方向へ向けられており、下方向とはいわゆる鉛直方向であり、下方向に向けられた足側風向変更部１８Ｂにより、清浄化空気７は、足側送風装置１０内部へ回収される。回収された清浄化空気７は、足側風路切り替え弁２２Ｂ、足側フィルタ部１４Ｂにて、塵埃等を清浄化され排気風２４となり排気される。排気された排気風２４は、再び送風装置９により回収され、頭側送風ファン１３Ａの送風により、就寝者１１へ送風される。
【００４６】
この一連のサイクルにより、ベッド８上の就寝者１１の周囲は清浄化することができる。
【００４７】
また、図４は、送風装置９側の開口部２６の内側に内側吹き出し口２７を設けた正面図をあらわしている。就寝者１１頭部付近に設置された送風装置９の吹き出し口１６Ａ〜１６Ｃから清浄化空気７が送風されると同時に開口部２６からの周囲の空気を巻き込み多量の空気が送風される。いわゆる誘引効果を利用している。その際、開口部２６の内側に設置された内側吹き出し口２７から清浄化空気７が吹き出される。内側吹き出し口２７から吹き出された清浄化空気７は、吹き出し部１６の吹き出し誘引効果により、周囲空気に引っ張られて就寝者１１の頭部方向に誘引され送風される。就寝者１１の頭部付近には、吹き出し口１６Ａ〜１６Ｃと内側吹き出し口２７からの清浄化空気７が送風される。就寝者１１に清浄化空気を送風するサイクルについては、前述した構成と同様で機器構成および動作も同様なもので可能である。よって、この一連のサイクルにより、ベッド上の就寝者の周辺を清浄化することができる。
【００４８】
開口部２６内側に内側吹き出し口２７を設け清浄化空気７を吹き出す構成とすることにより、吹き出し口１６Ａ〜１６Ｃから吹き出した気流に、内側吹き出し口２７から吹き出された清浄化気流を誘引し、就寝者１１へ送風することができる。いわゆる周囲の空気を利用する誘引効果を利用し、就寝者１１への清浄化空気７を送風するため、内側吹き出し口２７から吹き出される清浄化空気を比較的低風量のファンでも送風することが可能である。これにより、ベッド８上の正面の吹き出し部１６以外の箇所にも広範囲にわたって清浄空気を送風することができる。より就寝者１１へ清浄化気流を的確に送風することができる。
【００４９】
また、開口部２６の上方、および、左右に設けた吹き出し口１６Ａ〜１６Ｃにより、ベッド８に横臥状態の就寝者１１に向け清浄化空気７を逆Ｕ字型で送風させることでベッド８上に逆Ｕ字型で送風される清浄化空気７は就寝者１１をベッド８の上側だけでなく左右いわゆる側面部も清浄化空気がながれる。いわゆるエアカーテン状態を形成し、就寝者１１をベッド８上で清浄化空気７により囲むことが出来る。よって就寝者１１の快適性を向上することができる。
【００５０】
また、吹き出し部１６は、風量風向変更手段として頭側風向変更部１８Ａや頭側風路切り替え弁２２Ａを有する構成とすること、または、足側吸い込み部２１は、風量風向変更手段として足側風向変更部１８Ｂや足側風路切り替え弁２２Ｂを有する構成とすることにより、吹き出し口１６Ａ〜１６Ｃより送風される風量を調整することができ、開口部２６により誘引される清浄化空気の風量拡大も調整することとなり、就寝者１１への清浄化気
流の風量を調整することができる。さらに、風向を調整することにより、就寝者１１の位置が変動したとしても風量風向変更手段を用いることにより、風向を調整することが可能なため、清浄化気流の風向を変更することができ、就寝者１１へ的確に送風することができる。例えば、就寝者１１の状況は時間により変動する位置・姿勢ともに就寝状態であったり、寝返りをしたり、食事を行ったりと位置が変動するため、就寝者に向け清浄化空気７を送風したい場所や風量、風速を変化するため風量、風速を個々に制御することにより、快適性を向上することができる。また、的確に就寝者１１に清浄化空気７を送風することにより、むだな送風を省くことになり、省エネルギー化も向上することができる。
【００５１】
また、本実施の形態の空気清浄装置は、複数の吹き出し口１６Ａ〜１６Ｃの一部の吹き出し口、例えば、吹き出し口１６Ｂのみから送風する運転モードを有している。これによれば、就寝者１１に向け送風する清浄化空気７を風量調節ではなく、送風ＯＮ・送風ＯＦＦ部分の吹き出し口の切り替えにより調節でき、省エネルギーな効率が良い運転が可能になる。このため、就寝者１１がベッド８上で横臥状態の際に寝返り等で頭部の位置が変動する場合、例えば、頭位置がベッドの中央部ではなく側面部付近となっている場合にも、吹き出し口１６Ａ〜１６Ｃの就寝者に最も近い吹き出し口１６Ｂのみ清浄化気流を送風することで必要な送風風量を制限し、省エネルギー化を促進する。また、開口部２６より気流を誘引する誘引効果を利用し気流を吹き出し口からの風量より大風量化することが可能なため、頭側送風ファン１３Ａの小型化により、省エネルギー化を向上することができる。このため、就寝者１１に位置変動にあわせ必要な時は送風し、不必要な箇所に送風しない運転が可能なため、的確に清浄化気流を送風することが可能であり、更に省エネルギー化も向上することができる。
【００５２】
また、複数の吹き出し口１６Ａ〜１６Ｃによってそれぞれに風量風向変更手段を有した構成とすることにより、送風装置９の吹き出し部１６は、複数の吹き出し口１６Ａ〜１６Ｃの、風量風向変更手段をそれぞれで運転可能、制御可能となり、それぞれに風量及びまたは風向の清浄化空気を送風装置９から送風することで清浄化気流を衝突させ、清浄化空気７の局所的に陽圧化が行える。例えば、就寝者１１がベッド８上で横臥状態の際に寝返り等で頭部の位置が変動することが考えられるが、その際に送風装置９の吹き出し口１６Ａ〜１６Ｃによってそれぞれの風向を内側に向け風量調整し清浄化気流を発生させ就寝者１１に送風することで、気流同士の衝突が可能になるにより、気流のベクトル成分は減少し、衝突により局所的には圧力が向上する。いわゆる陽圧化した空間を構成することが可能となる。
【００５３】
局所的に陽圧化した空間内は、清浄化気流で満たされていることから、ベッド８上の陽圧内部は、清浄化している。また、圧力が高いことから、他の場所、陽圧部以外の部屋の部分に対して圧力が低い箇所、例えば陽圧化したベッド８上以外のベッドサイド部から清浄化されていない空気が流れこむことは、局所的な陽圧化空間との圧力差から発生しなくなる。さらに送風装置９の開口部２６があるため、吹き出し部１６からは吹き出される気流は誘引効果により大風量となり、気流が衝突するポイントでは、より陽圧化した局所的な空間を構成することが出来る。また、吹き出し風量は誘引気流により大きな風量とすることが可能なため、低風量でも就寝者１１の頭部付近に清浄化気流を送風することが可能となり、開口部２６付近の気流を誘引する誘引効果を利用し気流を吹き出し部１６からの風量より大きくすることが可能なため、吹き出し口からの風量はより低風量化ができ、省エネルギー化を向上することができる。このため、清浄化気流を送風装置９からの風量風向を変更し清浄化空気を衝突させ、送風装置９の開口部２６からの誘引効果も利用することにより、就寝者１１の頭部付近を低風量でも陽圧化した局所的な空間を形成することができ、ベッド８上の就寝者１１に清浄化空気７を届けることが可能となる。
【００５４】
なお、これらの風向や風量の切り替えや調節は、センサ（図示せず）により就寝者１１
の位置を検出し、自動的に行うようにしてもよい。
【００５５】
また、空気清浄装置は、イオン発生機能、加湿機能のうち少なくとも１つの機能を発生させる頭側イオン発生機２５Ａ、または、足側イオン発生機２５Ｂを有することにより、就寝者１１に送風する清浄化空気７は頭側フィルタ部１４Ａ、または、足側フィルタ部１４Ｂにより清浄化された気流に、加湿機能やイオン発生機能を付加機能として追加することにより、就寝者１１へより清浄化した空気を送風することができ、就寝者１１の快適性をさらに向上させることが可能となり、就寝者１１の周囲の空間を清浄に保つことが出来る。
【００５６】
（実施の形態２）
図５は、本発明の実施の形態２における空気清浄装置の吹き出し部正面図を示すものである。
【００５７】
本実施の形態では、図５において、送風装置９を就寝者１１の頭部付近に配置しており、足側送風装置１０は配置していない。就寝者１１には、頭側に配置した送風装置９の吹き出し部１６より、清浄化空気７を送風する。送風装置９の内外部の機構や構造は前述した実施の形態１と同じ機能を有しており、このように、設置した送風装置９でも就寝者１１へは清浄化空気７が送風されることが可能であり、ウイルス、アレルゲン等の汚染物質１２から就寝者１１を守ることが可能である。このように送風装置９の単体設置した利用も可能である。
【００５８】
以上のように、図５においては就寝者１１がベッド８上で横臥状態の際にベッド８に就寝者１１が横臥状態で就寝している状況である。就寝者１１の頭部付近には送風装置９が配置されている。ベッド８の上には就寝者１１がおり、ベッド８上には塵埃や菌、アレルゲン、ウイルス等の汚染物質１２が存在している。ベッド８上には就寝者１１が横臥状態にて滞在しており、この空気清浄装置の模式的に使用されている様子を表している。ベッド８本来の目的は、就寝者１１が横臥して使用することが大半ではあるため、図５に示すとおりの送風装置９の吹き出し部１６から送風された清浄化空気７が横臥状態の就寝者１１頭部付近へ送風される。例えば病院などの病室においては、就寝者１１が一日の大半をベッド８で過ごすことになる。ベッド８上で就寝者１１が横臥状態や座位状態へと様々な動きにより変動しながら、食事やテレビ鑑賞、読者や医療従事者により治療行為等の様々な行為もベッド上ですることになる。その際に就寝者１１に快適に生活を送ってもらうためにも、送風装置９の開口部２６とその周辺に配置した吹き出し口１６Ａ〜１６Ｃおよび開口部２６の内側に設けた内側吹き出し口２７を構成しており、吹き出し口１６Ａ〜１６Ｃの送風により、送風装置９から吹きだす清浄化空気７は、開口部２６を通過する気流を誘引し、吹き出し部１６からの吹き出し風量よりも大風量となる。そのため、送風装置９のファン風量は、開口部２６を設けていないときと比較して、ファン風量の低風量化が可能であり、就寝者１１の頭部付近に清浄化空気７を送風することが可能となる。よって、送風装置９を低風量化することが可能となり、ファンの低騒音化に貢献できる。就寝者１１がベッド８上で快適な生活が可能となる。
【００５９】
吹き出し部１６からは清浄化空気７が吹き出されている。清浄化空気７はベッド８の頭側から足側に向けてベッド８の上面及び就寝者１１の上を沿って流れる。気流が壁面や障害物側面に沿って流れるコアンダ効果を利用できる、および前述している開口部２６を利用した誘引効果も利用しているため、少ない風量で清浄化空気７を流すよう回転数および風量動作が設定されている。
【００６０】
清浄化空気７はベッド８の上面にぶつかってからベッド８の上面に沿って流れた後、自然とベッド８の上面の足側に近い空間へと流れる。コアンダ効果、誘引効果で流れてきた
清浄化空気７は。就寝者１１の足側へ送風され、ベッド８の周囲に送風される。塵埃等を清浄化され排気風２４となり排気される。排気された排気風２４は、再び送風装置９により回収され、吹き出し部１６により、就寝者１１へ送風される。
【００６１】
清浄化空気７はベッド８の上を頭側から足側まで流れるため、ベッド８上の空間全体に存在する汚染物質１２が清浄化空気７によって除去される。
【００６２】
清浄化空気７によって搬送されてきたウイルス、アレルゲン等の汚染物質１２が送風装置９の頭側吸い込み部１７により、排気風２４を吸い込むため、周囲に吹き飛ばされることがなく、周囲の空間も清浄に保つことが出来る。
【００６３】
頭側吸い込み部１７から送風装置９の内部へと吸引された排気風２４は、頭側フィルタ部１４Ａで清浄化された後に吹き出し部１６から清浄化空気７として吹き出される。この清浄化空気７がベッド８上の就寝者１１付近に送風され、その後、排気風２４となり、さらに再び清浄化空気７になるという循環が繰り返される。
【００６４】
他構成および動作については、前述した送風装置の動作構成としており、実施の形態１のように連携して動作する空気清浄装置を送風装置単体としてもベッド上の清浄化を向上することができる。
【００６５】
なお、本実施の形態において清浄化空気７は、操作部１９を就寝者１１や第三者が操作することで設定する構成となっていたが就寝者１１の状態を検知し自動的に設定を行う構成としてもかまわない。
【産業上の利用可能性】
【００６６】
以上のように、本発明にかかる空気清浄装置は、ベッド部上の就寝者の頭部付近または顔表面付近が変動しようとも、位置変動に応じて清浄化空気を送風することできベッド部上の局所的な空間を清浄化することができ、省スペース設計により設置性が向上するため、ベッドに後付設置が可能となるので、家庭用のベッド等の用途にも適用できる。
【符号の説明】
【００６７】
７  清浄化空気
８  ベッド
９  送風装置
１０  足側送風装置
１１  就寝者
１２  汚染物質
１３Ａ  頭側送風ファン
１３Ｂ  足側送風ファン
１４Ａ  頭側フィルタ部
１４Ｂ  足側フィルタ部
１５Ａ  頭側無線連携部
１５Ｂ  足側無線連携部
１６  吹き出し部
１７  頭側吸い込み部
１８Ａ  頭側風向変更部
１８Ｂ  足側風向変更部
１９  操作部
２０  足側吹き出し部
２１  足側吸い込み部
２４  排気風
２２Ａ  頭側風路切り替え弁
２２Ｂ  足側風路切り替え弁
２５Ａ  頭側イオン発生機
２５Ｂ  足側イオン発生機
２６  開口部
２７  内側吹き出し口
【図１】
2011247480.tif 000003
【図２】
2011247480.tif 000004
【図３】
2011247480.tif 000005
【図４】
2011247480.tif 000006
【図５】
2011247480.tif 000007